(57)【特許請求の範囲】
【請求項１】
連続可変式トランスミッションにおいて使用するためのベルト（３）であって、前記ベルト（３）内の引張力を吸収するためのエンドレスキャリヤ（４）と前記キャリヤ（４）に沿って長さ方向に移動可能に設けられた複数の横部材（５）とを含み、
前記横部材（５）が前記エンドレスキャリヤ（４）と接触するための少なくとも一つのサドル表面（８）と、揺動端部（９）を含むテーパつき下部分と、揺動端部（９）の両側から半径外方向に伸びている上部分（１０，１１）とを備え、
前記上部分（１０，１１）が半径外方向に伸びている２つの肢部（１０,１１）を含み、１つの開口部（６）はキャリア（４）を受け入れるための広さが定められ、前記上部分（１０，１１）は、前記横部材（５）と接触する時の前記キャリヤ（４）の半径方向外側の面より上の水準に、そして互いに対向する前記上部分（１０，１１）の表面に、其々１つの突出部（２１）と１つの孔（２７）を備えている前記ベルト（３）において、
前記上部分の半径方向高さが臨界半径方向高さＨＳＥであり、前記臨界半径方向高さＨＳＥが９．５ｍｍから２１ｍｍの間の値であることを特徴とする前記ベルト（３）。
【請求項２】
前記上部分の前記高さＨＳＥが前記ベルト３の前記周囲長さＬの平方根の係数Ｃ倍により定められた条件を満足し、Ｃが除去すべき前記端部遊びの量（ＥＰＣ）の平方根の０．３５倍以上の値であることを特徴とする請求項１記載のベルト。
【請求項３】
前記高さＨＳＥが３５０ｍｍで始まり、８５０ｍｍで終わる範囲の周囲長さＬを有するベルトについて１０ｍｍで始まり、１５ｍｍで終わる範囲の値であることを特徴とする請求項２記載のベルト。
【請求項４】
前記係数Ｃが除去すべき前記端部遊びの量（ＥＰＣ）の平方根の０．３５×１．１倍で始まり、除去すべき前記端部遊びの量（ＥＰＣ）の平方根の０．３５×３倍で終わる範囲の値であることを特徴とする請求項１〜３のいずれか一項記載のベルト。
【請求項５】
前記ベルト３が円形又は自由な状態の形状で配置される場合に、除去すべき前記端部遊びの量（ＥＰＣ）が前記横部材５の間のほぼ前記初期の長さ方向の遊びであることを特徴とする請求項１〜４のいずれか一項記載のベルト。
【請求項６】
前記ベルト３の長さ方向の前記横部材５の大半の前記上部分１０，１１の厚さが概してテーパ付き下部分の最大厚さより大きく、その結果、前記ベルト３内で互いに押し付けられている横部材５のアレイが、前記上部分１０，１１により相互に接触する時に、アーク状形状をとることを特徴とする請求項１〜５のいずれか一項記載のベルト。
【請求項７】
横部材５が主として前記上部分１０，１１中に設けられた突起２１を備えており、前記ベルト３が円形、又は自由状態の形状で位置される場合の前記横部材５の間の前記初期の長さ方向の遊びが前記突起の長さ方向の量Ｎ１，Ｎ２の１〜２倍の範囲であることを特徴とする請求項１〜６のいずれか一項記載のベルト。
【請求項８】
前記初期の長さ方向の遊びが前記横部材５の最大厚さの少なくとも３／４であることを特徴とする請求項７記載のベルト。
【請求項９】
前記横部材５が前記揺動端部９から外向き半径方向に延び、キャリヤ受容くぼみ６の横境界を形成する二つの肢部１０及び１１を夫々備えており、それにより前記サドル表面８が前記肢部１０及び１１の間に位置されることを特徴とする請求項１〜８のいずれか一項記載のベルト。
【発明の詳細な説明】
【０００１】
【発明の属する技術分野】
本発明は請求項１の前文に特定された連続可変式トランスミッション用ベルトに関する。
【０００２】
【従来の技術及び発明が解決しようとする課題】
“プッシュベルト”として一般に知られており、またこの特別なデザインにおいて単一パッケージプッシュベルトと称される、このようなベルトは一般に複数の刊行物により知られている。所謂単一パッケージベルトの一つの早期の刊行物は米国特許第３７２０１１３号明細書（特許文献１）である。単一パッケージプッシュベルトはＥＰ−Ａ００００８０２（特許文献２）のようなその後の刊行物により知られているような二重パッケージと較べて実用的な用途に高度に所望されるが、キャリヤ及びベルトの横部材を全体として保つため、換言すれば横部材がキャリヤから離れて落ちることを防止し、かつその構造コヒーレンスを維持するための別個の保持装置を具備する点でコストのかかる技術手段を問題としている。特に、ベルトの保全性のこの維持はベルトが運転中である間に問題であり、またベルト組立品の保全性を単に維持する際の考慮事項である。
【０００３】
従来技術が上記問題を解決する幾つかの方法を示す。特に、横部材のキャリヤ受容くぼみの幾つかの型が示されている。これらの中に、一つ以上の軸方向（プーリの軸方向であり、以下特記が無い場合同様）に延びるスロットの具備、キャリヤをフックするための横部材部分の具備、及びキャリヤ受容くぼみをロックするための保持装置、例えば、クロージャーピンの具備がある。
【０００４】
前記米国特許刊行物により開示されたベルトでは、横部材の半径方向（ここでは、環状ベルトがプーリに巻き掛けられた状態での該プーリの半径方向、つまりベルトの長さ方向及び幅方向に対し垂直な方向を意味し、以下特記が無い場合同様）に延びる肢部部分がくぼみに対し軸方向に内向きに曲げられ、それによりフックのような部分を生じ、その結果、キャリヤは、それがその横内面及びその半径方向の内面に沿って包囲されることに加えて、またその半径方向の外面に沿って少なくとも部分的に包囲される。横部材によるキャリヤのフックのこの構造はその比較的低重量のために好ましい。しかしながら、その構造は横部材の内向きの曲げが比較的複雑なブランキング形状を与える点及び組み立て時に特別な努力がキャリヤを横部材に対し所望の位置に挿入するのに必要とされる点で製造上の難点を問題としている。特に、キャリヤは自由に、即ち、その変形を生じないで挿入し得ない。このような変形は運転中に苛酷な引張負荷の下にある時にキャリヤ破壊の開始要因であり得る。このような種類の別の構造がＥＰ−Ａ００９５２５７（特許文献３）に開示されており、そのキャリヤは横部材との接触位置に比較的密にフックされる。
【０００５】
後者の挿入問題を解決する構造がＥＰ−Ａ０１３５２３７（特許文献４）により知られている。この既知の構造では、横部材が所謂スロットを示し、これは横部材の上部コーナーに向かって開口部を有する横部材中の横に配向されたくぼみである。キャリヤの半径方向の外面の少なくとも一部が半径方向の外部、又は上部の横部材部分により接触され、横部材が交互の順序で挿入されるべきである。このような横部材を含むベルトは比較的高い重量を有するようになり、こうして伝達可能なトルクに関する性能を制限する。また、交互の順序要件は横部材が交互に配置された、即ち、ベルトの長さ方向のまわりに鏡に映されたようなベルトに組み立てられる必要がある点で製造上の複雑化をもたらす。
【０００６】
有利に一層簡単なスロット構造を示す同様に早期の構造がＥＰ−Ａ００７３９６２（特許文献５）により知られている。この書類は横部材の軸方向の面に向かって開口部を有する多少真っ直ぐなスロットを有する横部材を開示している。ベルトが運転中である間にキャリヤがプーリ面と接触するリスクを防止するために、この構造ではまた、横部材が鏡に映されたようにフィットされる必要がある。鏡に映されたような隣接する横部材の複雑さは２面テーパ付けで下部のテーパ付き横部材部分を製造することにより解消されると示唆され、その結果、予想されたように或る種の製造上の難点及びコストを犠牲にして、唯一の横部材配向が適用される必要がある。
【０００７】
別の既知の単一パッケージデザインはベルトの運転時にベルト保全性を維持するためのセパレート部材型を示す。このような部材型はロック部材の形態の保持装置、例えば、ピン又はロックリング、これらの組み立て後のキャリヤ受容くぼみの密閉を備えている。このような構造は、運転中及びセパレート部分としての両方で、ベルトの保証された保全性を履行し得るが、重量及び製造コストのために比較的不利であるとともに、多くのデザインにおける強度は、例えば、自動車用途に典型的に必要とされるように、若干大きいトルクレベルが伝達されるべきである時に保証し得ない。このベルトデザインのうちの、一つのこのようなピン構造がＥＰ−Ａ０１２２０６４（特許文献６）に開示されており、一つのこのようなリング構造が米国特許第５１２３８８０号（特許文献７）に開示されている。
【０００８】
本発明は専らではなく主として上記のコスト上昇の不利を生じないで単一パッケージベルトデザインを実現することを目的とし、これはベルトにより伝達可能なトルクの量を最大にするとともに、ベルトに対する種々の機能要求に良好な様式で依然として応答するように比較的複雑にされない形状及び比較的低い重量を有する、単一部材型のみを含む。
【特許文献１】
米国特許第３７２０１１３号
【特許文献２】
欧州特許公開公報第Ａ−００００８０２号
【特許文献３】
欧州特許公開公報第Ａ−００９５２５７号
【特許文献４】
欧州特許公開公報第Ａ−０１３５２３７号
【特許文献５】
欧州特許公開公報第Ａ−００７３９６２号
【特許文献６】
欧州特許公開公報第Ａ−０１２２０６４号
【特許文献７】
米国特許第５１２３８８０号
【０００９】
【課題を解決するための手段】
このようなベルトは、本発明に係る請求項１に記載の特徴、即ち、連続可変式トランスミッションにおいて使用するためのベルト（３）であって、前記ベルト（３）内の引張力を吸収するためのエンドレスキャリヤ（４）と前記キャリヤ（４）に沿って長さ方向に移動可能に設けられた複数の横部材（５）とを含み、前記横部材（５）が前記エンドレスキャリヤ（４）と接触するための少なくとも一つのサドル表面（８）と、揺動端部（９）を含むテーパつき下部分と、揺動端部（９）の両側から半径外方向に伸びている上部分（１０，１１）とを備え、前記上部分（１０，１１）が半径外方向に伸びている２つの肢部（１０,１１）を含み、開口部（６）はキャリア（４）を受け入れるための広さが定められている前記ベルト（３）において、前記上部分の半径方向高さが臨界半径方向高さＨＳＥであり、前記臨界半径方向高さＨＳＥが９．５ｍｍから２１ｍｍの間の値であることを特徴とする。
【００１０】
このような特許請求された特徴を含むベルトは容易に製造し得る。なぜならば、原則として、キャリヤ保持装置が運転中に必要とされないからである。驚くことに、本発明のデザインにおいて、ベルト保全性を維持する保持装置の機能はベルト内に本来存在する幾つかの幾何学的特徴を有利に利用し、適用することにより達成し得る。ここでは、ベルトの周囲長さ、即ち、キャリヤの半径方向の内面で測定した場合のその長さ方向の寸法と横部材の上部分の高さの特定の比を設定する。
【００１１】
主請求項記載の解決策は、トランスミッション中に適用された場合にベルトの軌道のプーリ部分の間のスラック（これは本発明によるベルトの崩壊に鑑みて最も重要な部分と考えられる）で、横部材が安定な端部位置（そこで関係ベルト部分が凹形である）で互いにブロックし得るという識見に基づいている。その解決策はこのようなスラック軌道部分がプーリによるベルトに対するクランプ作用（これはプーリを出るベルトに反対作用して、ベルトをプーリ中で回転し続けるように強制する傾向がある）の結果として半径方向に内向きに曲がる傾向を有するという経験及び識見を考慮する。
【００１２】
本発明によれば、本デザイン特徴が二重パッケージベルトデザインに有利に適用し得る。二重パッケージデザインについて、この特徴は既知技術に関する横部材の異なるデザインを可能にする。特に、Ｔ字形上部分の横幅が減少し得る。なぜならば、それが最早キャリヤと横部材の間の半径方向の遊びを制限するのに利用できないからである。更に、その特徴はベルトの機能寿命を保証し、又は最適化することを助ける。なぜならば、キャリヤがベルトの運転中にそれ程負荷されないからである。例えば、キャリヤの半径方向の外面と横部材の間の相互作用が最早必要とされず、この相互作用は既知技術のベルトでは横部材がプーリを出る位置に生じる。この領域では、プーリの弾性変形のために、横部材がプーリの組滑車（組合わせた各軸固定滑車と軸上可動滑車）の間で非常に有効にクランプされ、その結果、それらはプーリとともに回転を保つ傾向がある。既知ベルトでは、横部材がこれらの構成部分に付加的な負荷をかける保持装置、例えば、Ｔ字形上部分又はロックピンと相互作用するキャリヤによりプーリ滑車から引き離される。本発明のベルトでは、ベルトの横部材がスラック軌道部分中でもしっかりと接触して保たれ、その結果、横部材をプーリから引き離すための力が一つの横部材から別の横部材に伝達し得る。
【００１３】
また、本発明の解決策により、全端部遊び（ベルトの横部材間の長さ方向の遊びの合計）の有利に大きい値が可能にされ、こうして、揺動端部より上の上部分の高さが充分に大きくされることを条件として、ベルトの組み立てを有利にし得る。これにより、本発明は、中でも、ベルトの全端部遊びの一部のみがいつでもスラック軌道部分中に存在するという識見を利用し得る。更に、このスラック軌道部分中の端部遊びは一般に二つの隣接横部材の間に集中されないが、多少分布される傾向がある。それ故、前記横部材高さは最大ギャップ、即ち、遊びのための寸法にされることのみを必要とし、これは二つの隣接横部材間に運転中に生じることが予想されることがあり、これは、例えば、実際に証明され得る。
【００１４】
特別な難点は、例えば、ベルト部材を相互接触様式でキャリヤに沿って積み重ねることにより想像されるように、ベルトの全端部遊びを考慮することにより本発明において解消された。本発明の解決策の特別な利点は、それが例えばトランスミッションの外部で可能であるような自由状態、即ち、円形である場合のベルトの実際の端部遊びを考慮するだけでなく、それは全端部遊びが運転中のキャリヤ及び横部材の弾性変形により部分的に決定され、又は依然としてトランスミッション内のその取り付け及び運転のために更に大きくなるような状況を含むことである。
【００１５】
パッケージベルトの保全性を維持することの記載された問題は、本発明によれば、ここで先の解決策に加えて含まれるが、また専ら適用されてもよい特徴により別途解決される。この特徴はベルトの横部材の少なくとも大半がその揺動端部の位置における横部材の厚さに対して上部分の肥大化、即ち、下部分の最大の厚さを有することを伴う。こうしてまた、上部分はわずかであるがテーパ付けされている。この方法では、所謂猫の背中のようなアークが二つのプーリ間に配置されるように互いに対し押し付けられている横部材のアレイ中に得られる。ベルトがプーリから出ることが増進されるとともに、横部材が互いに、又はキャリヤから離れて落ちない。なぜならば、それらが側面から観察される場合にそれらの位置で固定されているからである。この特徴の付加、又は場合しだいではその存在により、ベルトが、トランスミッションの停止時に、通常全てのトランスミッション条件で基本的なクランプ力を与えるために採用されるプーリ中のばねの存在なしに組み込まれてもよい。これはこのようなくさび形横部材が、少なくとも重力に関してトランスミッション上面に配置された時に、局所ベルト部分が特別な形状（それからベルトが運転中に所望のロッドのような状態に最早変形し得ない）をとることを防止するからである。ベルトのスラック軌道部分（トランスミッション上面又は下面を問わない）中で、くさび的特徴は横部材間の遊びを減少し、それによりそのベルト部分の安定なベルト凹形をとることを助ける。
【００１６】
驚くことに、本発明のこの後者の局面の手段は再度ベルトの保全性、又はコヒーレンスを維持するとともに、横部材とキャリヤとの間の相対的な半径方向の運動を積極的又は直接に制限することにより、既に記載された既知の保持装置の適用を不要にすることを助ける。これはくぼみがキャリヤを保持することができるフック部分又はロック装置を少なくとも備えないで半径方向に外向きの方向で完全に開いている部材デザインを可能にする。この効果を得るために、本発明によれば、その半径方向の寸法にわたって上部分の厚さ増大のごく小さいが認められる量が必要とされる。この特徴により、ベルトがかなり多数の横部材を含むという状況が利用される。
【００１７】
こうしてまた、本発明はベルトの長さ方向の横部材の大半の上部分の厚さが少なくともテーパ付き下部分の最大厚さよりも概して大きく、その結果、前記ベルト内で互いに押し付けられた横部材のアレイがアーク状形状をとるベルトに関する。本発明の有利な実施態様において、上部分、即ち、揺動端部から半径方向に外向きに延びる横部材部分の厚さが次第に増大する。この方法では、前記くさび効果が横部材の最大距離ではないとしてもかなりの距離にわたって得られ、こうしてくさび効果の保証を最適化する。
【００１８】
ここで、現在の記載に関して、横部材の高さは円形で配置された場合の半径方向のベルトの寸法と対応すると推定され、横部材の幅が横方向又は軸方向のベルトの寸法と対応し、また横部材の厚さがベルトの長さ方向の、即ち、ベルトの周囲に沿ったその寸法に対応することが認められる。
【００１９】
更に有利には、上部分のテーパ付けは下部分及び上部分の両方のかなりの部分を含む平らな面を形成する横部材の一つの長さ方向（ベルトの長さ方向）の面する面で得られる。この方法では、横部材の技術的かつ経済的な製造の問題が有利に解消され、例えばば、横部材の唯一の長さ方向に面する面が有利にプロフィールされ、打ち抜き(blanking)による横部材製造を可能にする。
【００２０】
本発明によれば揺動端部のレベルにおける上部分と下部分の間のベルトの横部材の厚さの公差が前記揺動端部における厚さの０．０１〜０．２０倍、好ましくは約０．０４倍である場合に、特に有利かつ安全な効果が得られ得る。
【００２１】
更に特別には、本発明は上部分が揺動端部から外部に半径方向に延びる肢部を備えており、夫々の肢部がキャリヤ接触面（またサドル表面又は単にサドルと称される）の軸方向の端部に隣接し、くぼみの横境界を形成する横部材の横側部分付近に設けられている所謂単一パッケージベルトに関する。既知のベルトデザインと違って、この型のベルトは、例えば、トルク伝達能を異にする種々の用途をカバーするために種々のキャリヤ寸法で容易に製造し得る。記載された部材型は上部分中のキャリヤの幅の大部分にわたる材料の欠如のために比較的低い重量に保たれてもよい。
【００２２】
本発明の別の特定の局面によれば、夫々のこのような肢部はサドル表面により横部材と接触される場合にキャリヤの半径方向の外側より上のレベルで主としてベルトの長さ方向に配向された突起を備えている。この構造では、突起が特にスラック軌道部分におけるベルトの保全性の維持を促進するとともに、比較的大きい全端部遊びを可能にする。このようなスラック軌道部分におけるベルトがベルトの中央に向かって曲げられ、即ち、凹形に曲げられる場合、横部材はその半径方向に外部により相互に接触する傾向がある。突起をこれらの外部付近に設けることは、本発明によれば、横部材が半径方向に互いに対して移動することを防止し、それ故、単一パッケージベルトを崩壊から防止することを意図されている。突起のこの機能は既知のベルト配置では見られず、そこではその代わりにそれがプーリ軌道部分間で横部材を軸方向に振動することを防止し、またベルトのアーク形プーリ軌道部分で横部材の安定な相互の配向を支持するという機能を有し、それ故、本発明の突起の異なる配置を必要とする。突起のこの新規な機能及び新規な配置それ自体が単一パッケージベルトデザインの適切な機能を可能にし、少なくとも増進するので、本発明はまた肢部がサドル表面により横部材と接触される場合にキャリヤから半径方向に外側部のレベルで主としてベルトの長さ方向に配向された突起を備えているベルトに関する。
【００２３】
このような新規な配置では、突起は肢部の半径方向の寸法の上半分に完全に配置されることが好ましい。有利な実施態様において、突起はプーリにおける半径方向に内部境界を形成する主として軸方向に延びる下面を有し、それによりプーリ間軌道部分で隣接横部材間の軸方向の変位を防止する突起の機能、並びに横部材の製造可能性の両方を増進する。既知技術のように、ベルトの長さ方向に面する肢部の表面に位置する本発明の突起配備により、相当する穴が反対方向に面する肢部の表面に設けられる。新規な突起配備の機能性を最適に保証するために、本発明では突起が長さ方向で前方かつ半径方向で外向きの方向に延びる肢部の部分として部分的に製造される配置が好ましい。この様式では、突起が横部材厚さを上部分の半径方向の全長にわたって維持しながら実現され、それにより横部材がベルト軌道の直線部分でかなり押しやる力を吸収することを可能にする。この新規なデザインでは、突起が既知の突起の実施態様を形成するのに好ましい方法のように材料をせん断して突起及び穴を同時に形成するのではなく、肢部を曲げることにより製造されることが好ましい。この新規な突起デザインの更に有利な局面はそれがそれから半径方向に外側部に配置された肢部の部分に隣接して半径方向及び長さ方向の両方に延び、かつ前記肢部の部分より軸方向に下の肢部の部分に平行な半径方向に延びる肢部の部分により部分的に形成し得ることである。このような構造は突起部分の新規な機能性を維持しながら有利に製造し得る。
【００２４】
本発明の単一パッケージデザインの更に特定の局面は、サドル表面のレベル付近での肢部部分に対し軸方向の肢部幅が増大される部分を含めるために、半径方向に外向き方向に端部を有する肢部を示す。この様式では、特にスラック軌道部分中の、横部材の良好な、即ち、安定かつ信頼できる相互接触が促進され、それにより前記保持装置のないベルト型又は、更に詳しくは、横部材のキャリヤ受容くぼみの横幅がその変形を生じないでキャリヤのくぼみに出入りする移動を可能にするベルト型の適用を増進する。本発明のこの局面の好ましい実施態様において、幅が増大された肢部の部分が突起から半径方向に外向きのその少なくとも大部分について、更に好ましくは肢部の上面又は半径方向に面する端面に直接隣接して、又は含んで配置される。即ち、図６を参照して、肢部の他の部分よりも幅が広い支部１０；１１の部分（つまり線２５の部分よりも幅が広い線２６の部分）は、半径方向の外側に位置し、つまり、突起２１の上方、より好ましくはそのような幅の広い部分は肢部の端部例えば頂部または頂面に隣接する部分、に位置している。それにより肢部の相互接触の不全の機会を最小にする。なぜならば、特に本発明によれば、肢部がそうしないと最小の幅であることが求められるからである。
【００２５】
製造されるのに有利な実施態様において、肢部の幅が増大された前記部分は、ベルトの長さ方向に見て直線に従って延び、好ましくは実質的に半径方向に延びる肢部の軸方向の面により形成される。このような実施態様において、肢部の前記上面は主として軸方向及び長さ方向に延びる平らな表面を備えていることが好ましく、その表面は、好ましくは約１ｍｍの半径の、丸くされた遷移部分により肢部の軸方向の面とつながっている。
【００２６】
キャリヤ受容くぼみがキャリヤ及び横部材の自由な相互移動を可能にする単一パッケージベルトの良好な機能を最適化するように、長さ方向から見た肢部は、少なくとも肢部の高さの主要部分について、横部材のプーリ接触面及びプーリの横部材接触面の両方が配向される角度、所謂フランク角度に少なくとも実質的に一致する角度で半径方向及び軸方向に延びる。この手段により、肢部は実際に軸方向に別々に、好ましくはプーリにより形成されたＶ字形の溝の閉じ込め内にできるだけ多く形成され、それによりその捩り及び軸方向の座屈に対するベルトの安定性を促進する。二つのプーリ間で横部材はプーリ滑車による側面支持がない。ベルトに作用する力及び振動の影響下でベルトは座屈またはその他の欠陥の原因となり得る捩じれまたは曲がりが生じる可能性がある。真っ直ぐに上に伸びる代わりに、多少Ｖ型になっている両肢部の特徴は、前記捩じれと曲がりによる欠陥のリスクを減らして、ベルトにさらなる機械的安定性を与える。本発明の突起を備えたこの後者の部材デザインの好ましい実施態様において、突起の軸方向に外向きに面する面の主要部分がまたフランク角度に少なくとも実質的に一致する角度で配向される。更に、軸方向に内向きに面する表面、即ち、反対肢部に設けられた突起の同表面に面する表面の主要部分がまたフランク角度に少なくとも実質的に一致する角度で配向されて、突起の寸法及び質量を最小にするとともに部材安定性を最適化し得る。
【００２７】
本発明の先の特徴によれば、横部材の有利な実施態様はキャリヤ受容くぼみに面する肢部の軸方向に内向きに面する表面の相互の分離がキャリヤの軸方向の幅より大きいことに見られる。
【００２８】
単一パッケージベルトの機能性を保証しながら、本発明はその重量を軽減しようとし、それによりベルトのトルク伝達能を最適化する。こうして、上記された手段及び特徴のいずれにもかかわらず、本発明は肢部の公称の軸方向の幅をキャリヤの幅に関して小さく保とうとする。これに関して、本発明によれば、サドル表面のそれに相当する半径方向のレベルにおける肢部の軸方向の幅の合計はこのような表面の軸方向の幅の１／３未満、好ましくは１／６未満であり、その間キャリヤを受け取るためのくぼみが半径方向に外向きに向けられ、少なくともキャリヤの軸方向の幅に一致する幅にわたって半径方向に外向きに開いている。この最適化デザインでは、プーリにおける肢部の半径方向の長さはプーリにおけるサドル表面の半径方向のレベル位置から測定する時にサドル表面のレベル位置での部材の厚さの少なくとも３倍を越えることが有利である。このような手段により、肢部は、横部材をプーリにおける半径方向でキャリヤから分離することを妨げるための、即ち、横部材とキャリヤの同時の相互回転を生じないフック形端部、又は、二重パッケージベルトの場合には、Ｔ字形である上部分を備える必要がなく、その結果、キャリヤが軸方向に平行に配向される場合でさえも、くぼみ中のキャリヤの自由な挿入が可能である。こうして、肢部、又は上部分は比較的小さい軸方向の幅を有して製造でき、それによりキャリヤ幅、即ち、前記トルク伝達能を決める幅とベルトの全幅の比を最適化する。肢部がベルト長さに沿った方向で見られるように前記レベル位置で四角い断面を有し、肢部幅はサドル表面のレベル位置で横部材厚さに実質的に一致して、ここでの肢部断面は正方形とするのが好ましい。
【００２９】
それ自体で、また本発明の夫々の特徴と組み合わせて有利な好ましい実施態様において、横部材は軸方向に延びる揺動端部（また更に正確には傾斜ゾーンと称される）を示す。なぜならば、通常それは鋭い端部ではないが、横部材の幅のかなりの部分にわたって延びる半径方向に配向された凸形湾曲の形態の多少なめらかに湾曲した表面であるからである。揺動端部又は傾斜ゾーンはサドル表面から半径方向の内方に０．４ｍｍ〜０．６ｍｍの距離に配置されることが好ましい。この様式では、比較的大きい接触圧力がベルト内の横部材間で受け取られ、その間揺動端部が運転中のキャリヤと横部材の間のベルト内の速度差を最小にするためにサドル表面近くに配置される。
【００３０】
本発明の特に重要な局面は夫々の横端部における横部材がプーリと接触するためのプーリ接触表面（またフランクと称される）の形態の側面を備えているベルトデザインに関する。フランクは少なくともサドル表面と接触する時にキャリヤの上部境界を越えて半径方向に延びる。この様式では、横部材とプーリの間の接触圧力がかなり低下し得る。理論的考慮から、横部材は小さい半径方向の高さを有するフランクによりプーリのクランプ力を正確に受け得ることが計られてもよいが、大きいフランクがプーリに対する横部材の配向の安定性のため、またそれらの間の有利な潤滑状態の維持のための両方に有利である。理論的に許される接触圧力は横部材とプーリの間の摩擦接触で発生する熱の量の結果としての潤滑媒体の崩壊のために結局許されないかもしれないことが観察される。極端な場合、この熱はプーリと横部材の間に局所の微小溶接スポットを生じることがあり、ベルト使用寿命をひどく短縮する。
【００３１】
好ましい実施態様において、フランクは揺動端部の上にその半径方向の高さの少なくとも１／３、しかしながら好ましくは約半分以下にわたって延び、それによりまたプーリ内の横部材安定性を改良する。なぜならば、横部材とプーリの間の摩擦力の適用の有効な半径方向のレベルがその後に揺動端部（そこで隣接横部材間の押しやる力が伝達される）の半径方向のレベル、又は少なくともその付近にされるからである。この様式では、前記力の力モーメントが最小にされ、それにより横部材はプーリ中にある間にベルトの軸のまわりで傾斜する傾向が最小にされる。これに関して、揺動端部を形成する軸方向に延びる湾曲の半径は約１２ｍｍまたはそれ以上である。前記半径は最小でフランクの半径方向の高さにより、また最大で公称の横部材幅により特定される値の範囲内にある。この範囲は本発明の特徴により特定される単一パッケージベルトデザインに関して特に好適であることがわかった。
【００３２】
本発明の更に別の特別な局面はエンドレス部材の下面が凹形である半径方向に内側の端部で成形され、それにより内端部が少なくともサドル表面の幅にわたって軸方向に延びるベルトデザインに関する。凹形内端部の特徴は二重パッケージベルトデザインからそれ自体知られているが、それは市販のベルトデザインに適用されていなかった。しかしながら、新規な構造にすることとは別にして、単一パッケージベルトデザインにおけるその適用は、フランク高さを有利に増大するとともに、下部分の合計の体積及び重量を抑える。好ましい実施態様において、内端部は下部分の最大横幅の０．５〜１倍の範囲内の値を有する半径と少なくとも実質的に一致して湾曲される。この範囲は本発明の特徴により特定された単一パッケージベルトデザインに関して特に好適であることがわかった。
【００３３】
本発明の後者の局面の有利な労作では、下部分は長さ方向において軸方向に延びるステップを備えていてもよく、その結果、このような位置で横部材の厚さが段階的に変化する。この様式では、横部材の重量が更に抑えられ得る。本発明によれば、ステップは、好ましくはそれを少なくとも一つの位置に交差して、横部材の内端部付近に設けられる。このデザイン特徴は横部材製造のための打ち抜き工程の正確さに顕著な効果を有し、更に打ち抜き中に適用される力を軽減する。本発明の好ましい実施態様によれば、ステップの半径方向の下側で、横部材は下部分の最大の長さ方向の厚さの０．７５〜０．９０倍の範囲の厚さを有する。このような範囲は本発明により、目的とされるクランプ力を吸収するための横部材強度と重量軽減の最適のバランスを与える。
【００３４】
最後に、ベルトはサドル表面の軸方向の端部が図６に示すアーク形の小さいくぼみ３３により、肢部となめらかにつながる有利なデザイン局面を特徴とし、それにより該くぼみが主としてアークのように成形される。この様式では、肢部とサドル表面の間の遷移が亀裂する傾向が少ない。更に、このようなデザインにより、フランクがサドル表面の半径方向のレベルより上のかなりのレベルまで延び得るとともに、上部フランク部分におけるクランプ力が依然として下部分に有利に案内し得る。これに関して最適化された実施態様において、アーク状の該くぼみの面と肢部の面とが、一つの連続した円滑な面を形成する。
【００３５】
本発明の先に提案された実施態様及び局面は、それ自体で、又は組み合わせて、比較的薄い半径方向に組重ね(nest)されたエンドレスの平らな金属バンドの組を含むキャリヤと組み合わせて最も有利に作用する。
【００３６】
以下の詳細な説明から明らかになる上記目的及びその他の目的とともに、本発明の可撓性ベルト型トランスミッション装置の好ましい実施態様が添付図面に示される。
【００３７】
【発明の実施の形態】
図面中、相当する機能を行なう構造部分が同じ参照番号により参照される。図面が以下に更に詳しく説明される。
【００３８】
図１はプーリの滑車に載っている間にプーリ１及び２の間で走行するベルト３を備えた、自動車用途に適するが、例えば、ウィンドミルのようなその他の用途に好適なベルト型トランスミッション装置（また連続可変式トランスミッション（ＣＶＴ）と称される）を図示する。プーリ１，２の各組滑車（組合わせた軸固定滑車と軸上可動滑車）は、概してＶ字形のプーリ接触面１５及び１６（またベルト３のフランク１５及び１６と称される）を受け取るためのＶ字形溝を形成する。ベルト３は、両プーリ１，２の一方から他方に力を伝達し、その力は、例えば、車両のエンジンによりこのような一つのプーリ１，２に負荷されたトルクから生じる。ベルト３は、手動トランスミッション中の第一ギヤ位置に匹敵する、所謂ロー位置付近の位置で示される。ベルト３（またプッシュベルト３と称される）は、組重ね(nest)されたエンドレスの薄い金属バンド７（それ以外にリング７と称される）の組の形態の、キャリヤ４（また支持体４又は引張手段４と称される）、及び多数のセパレート横部材５（それ以外にブロック５と称される）を含む。横部材５はエンドレスの、実質的に連続のアレイ中に前記キャリヤ４に沿って摺動自在に配置され、こうしてベルト３が所謂プッシュベルト３、即ち、隣接横部材５を二つのプーリ１と２の間で互いに対して押し付ける横部材５のアレイ内のプッシュ力により力を一つのプーリから別のプーリに伝達するためのベルト３として機能することができることを保証する。
【００３９】
運転適用について、ベルト３は、プーリの軸からのいずれかの半径方向の距離で滑車の間を走行してもよく、こうしてステップのない可変トランスミッション比を生じる。ベルト３を組滑車の間にクランプするため、またベルト３の走行半径を変えるために、夫々のプーリ１，２の少なくとも一つの滑車は、それ自体知られている様式で、例えば、前記トルクを伝達するのに、又は夫々のプーリ１，２中でベルト３の走行半径をシフトするのに充分な力を前記の少なくとも一つの滑車に適用する油圧制御装置により軸方向に変位可能に設けられる。
【００４０】
図中に示されるように、ベルト３の横部材５は前記プーリ１及び２の滑車を接触させるための傾斜プーリ接触面１５及び１６（またフランク１５及び１６と称される）を備えている。プーリ１，２の滑車の間に充分に強くクランプされた時に、このような力が前記フランク１５及び１６と夫々の組滑車のＶ字面の間の摩擦によりベルト３に伝達された後に、ベルト３は力を回転している両プーリ１，２の一方から他方に伝達することができる。プーリ１及び２の各組滑車により形成されたＶ字形溝は横部材５の傾斜フランク１５及び１６が配向される角度、所謂フランク角度と少なくとも実質的にマッチするＶ角度を有する。フランク１５及び１６は横部材５と両プーリ１，２の接触中のトランスミッションオイルの如き冷媒の適切な存在を可能にするように、谷及び溝を設けることにより粗面化されてもよい。横部材５は、断面で見られるように、下部分（環状ベルト３における内側部分）を有することが好ましく、これは揺動端部(rocking edge)９のレベルから半径方向に内向きに配置された横部材５の部分及び揺動端部９それ自体を含む。次いで上部分（環状ベルト３における外側部分）はプーリにおける半径方向に外向きに、即ち、揺動端部９の上に配置された横部材５の部分として形成される。揺動端部９は、また傾斜ゾーン９と称され、普通６〜１２ｍｍ付近の半径を有し、プーリの軸方向に配向された理論的に多数の接触ライン（それらに沿って横部材５が、例えば、プーリ１，２の各組滑車の間でアークのように曲げられた軌道ＢＴにある間に、相互に接触し、揺動し得る）を保持する半径方向の湾曲を含む。
【００４１】
少なくとも下部分の傾斜面９、即ち、図３の正面図中の側面は横部材５の同じ面で上部分に対し傾斜され、その結果、横部材５はプーリにおけるその半径方向の内面、即ち、ベルト３の内面に向けられた面に向かって一層薄くなる。更に、横部材５は概してわずかに凸形かつ半径方向に外向きに面するキャリヤ接触面８（またサドル表面８と称される）を備えている。キャリヤ接触面８はベルト３の運転中にキャリヤ４、特にその半径方向に最も内側のバンドと接触することが意図されている。このようなサドル表面８は、少なくともキャリヤ４と接触することが意図されているその部分について、側面図に見られるように概してまた凸形に成形される。
【００４２】
ベルト３の各部分は、運転中、駆動プーリの回転により、所謂交差軌道ＣＴＵ，ＣＴＬ（また“プーリ間軌道部分”ＣＴＵ，ＣＴＬと称される）が曲がった軌道ＢＴ（そこでベルト横部材５が夫々のプーリ１，２中でクランプされる）の間を通過し、その交差軌道中で、それは、主として延伸された性質の、上部及び下部、夫々交差軌道ＣＴＵ及び交差軌道ＣＴＬを示す。プーリ１及び２の各組滑車の間でクランプされた時に、ベルト３は第一及び第二の典型的なアークのような曲がった軌道ＢＴを示す。二つのブーリ間軌道部分ＣＴＵ，ＣＴＬで、ベルト３は、引っ張られた一つの部分と、プッシュ軌道部分とがあり、即ち、横部材５が互いに対し強く押し付けられる。このような部分では、ベルト３は押し付け機能を行なう。反対のプーリ間軌道部分ＣＴＵ，ＣＴＬ、スラック軌道部分では、ベルト３は、若干緩和され、即ち、隣接横部材５が若干の遊び、即ち、最終の横部材５を組み立てで挿入するのに必要とされるベルト３の横部材５の間の全遊びの一部を示してもよく、この遊びは横部材５の磨耗又は運転中のベルト３中の変形から生じる。このような遊びはベルト３の全端部遊びＥＰと称される。プッシュ軌道部分及びスラック軌道部分は、運転中に、トランスミッション条件に応じて、上面、即ち、図７及び８中の交差軌道ＣＴＵ、又は下面、即ち、トランスミッションの図７及び８中の交差軌道ＣＴＬに存在してもよい。両方の交差軌道ＣＴＵ，ＣＴＬ中で、キャリヤ４は横部材５を所望の相互配向に保つのに利用でき、少なくとも助け、それにより高い引張力にかけられてもよい。実際に、ベルト３は、プッシュ軌道部分中で、横部材５が互いに対し押し付けるために曲がる傾向を示し、それにより離れたスプラッシングの傾向を有する前記プーリ１及び２の間の金属ロッドを実質的に形成する。しかしながら、このような傾向はキャリヤ４、特にその中に行き渡っている引張力により相殺される。
【００４３】
特に図２及び３を参照して、横部材５の既知の従来技術のデザインの実施態様が図示され、その記載はここではベルト３に関する横部材５の幾つかの基本的な機能及び構造の特徴を解明するのに利用でき、特に横部材５の所謂単一パッケージ実施態様が示される。横部材５のこのような型は組重ねされたリング７の組を含むキャリヤ４を受け取るための中央のくぼみ６（また開口部６と称される）を有する。開口部６は半径方向に外向きに延びる肢部１０及び１１のフック部分１２及び１３により半径方向に外向きの方向に境界を定められる。肢部１０及び１１は夫々横部材５の横側部付近で上向き（外向き）に、即ち、半径方向に外向きに延び、くぼみ６の横の境界を形成する。この従来技術の実施態様において、肢部１０及び１１はキャリヤが横部材５のサドル表面８と接触する時にキャリヤ４まで上向きに延び、それをわずかに超えて延びる。従来技術の肢部１０及び１１のフック部分１２及び１３は、ベルト３が一旦組み立てられるとくぼみ６中にキャリヤを含むように成形される。
【００４４】
下部に、横部材５は、フランク１５及び１６、並びにベルト３がプーリ１，２中をアーク形の曲がった軌道部分ＢＴに沿って通過することを可能にする先細りテーパ付けを与えられている。従来技術の実施態様において、揺動端部９はサドル表面８の若干下に、即ち、それから半径方向に内方に配置される。先細りテーパ付けは、軸方向に配向された揺動端部９の上に延びる主要な面部分に対し下向きかつ後向きに傾斜される下部分（これは揺動端部９の下面と上にリンクする）の傾斜面１９により実現される。下部分はそうしないと軸方向に配向される実質的に真っ直ぐな下端を有する比較的高い剛性を有する中実の実質的に台形のブロックとして製造される。
【００４５】
図４及び図５は図２及び図３に記載の実施態様の主要な特徴を含むが、リング７の二つの組の形態のキャリヤ４を受け入れるためにデザインされた、個人車両用に特に適したベルト３を形成する本発明の実施態様を示し、その目的のためにスロット６の形態の二つのリング受容くぼみ６が設けられる。夫々のくぼみ６はサドル表面８により半径方向に内向きに境界を定められ、また横部材５のＴ字形上部分１４により半径方向に外向きに境界を定められる。本発明の横部材５中で、上部分１４、即ち、揺動端部９の半径方向に上の部分は、わずかにテーパ付けされ、その結果、それはその半径方向の外端部付近に最も厚い部分を有する。その厚さは少なくとも３００〜５００個の単一ベルト３中の横部材５の典型的な個数について揺動端部９付近でその厚さの４％のオーダーの増分の量だけ半径方向に外向き方向に増大することが好ましい。しかしながら、これに関して有益な範囲は１％〜２０％の間に及び、これらの値を含む。この方法では、一つの交差軌道ＣＴＵ，ＣＴＬで、典型的な“ねこの背中”、即ち、図７に示された上部の、即ち、プッシュする交差軌道ＣＴＵの凸形が有利に得られる。本発明によれば、この形状は上部交差軌道ＣＴＵ中のサドル表面８とキャリヤ４の接触を促進し、それによりまたその軌道のこの部分中の横部材５のセンタリングを有利に促進する。またその凸形はプーリ１，２からのベルト３の退出を促進する。
【００４６】
図７（図中、Ｄは夫々のプーリ１，２の回転の方向を表す）は更にプーリ１，２が、ベルト３におけるクランプ力のその発揮のために、その組滑車の間にクランプされたベルトの横部材５を保つ、即ち、円形軌道中で移動している横部材５を保つことによりベルト３の前記退出を抑制する傾向がある。この特徴は、特に参照番号４０で示された理論的な真っ直ぐの軌道と比較して、スラック軌道部分、ここでは下部交差軌道ＣＴＬにより示される。凹形をとるベルト３の得られる傾向はベルト３中の横部材５の間の遊びの合計量、即ち、全端部遊びＥＰに依存する。既知のベルト３の場合のように全端部遊びＥＰを厳密な制限内に保つことはベルト３の製造に負担をかける結果をもたらす。これは、本発明のベルト３では、横部材５の相互接触により横部材５の間の遊びの利用可能な量を減少する傾向があるという点で、増大された外部厚さの特徴により軽減し得る。また、本発明の構造は製造されたベルト３内の比較的大きい全端部遊びＥＰを可能にする。なぜならば、横部材５のわずかに増大する厚さがまた凹形スラック軌道部分中の遊びの利用可能な量の減少に影響するからである。更に、凹形スラック軌道部分中の遊びのこの減少はベルト３がこのような軌道部分中で曲がる傾向を同時に減少する。この効果により、ベルト３は一つのプーリ２からの出口の位置から別のプーリ１にある入口の位置まで完全に真っ直ぐに交差するベルト３の想像上の空間軌道４０に関して、本発明に従って特定された凹形曲げの可能な量内に更に容易に保たれる。本発明の基礎となる識見によれば、側面図に見られるようなベルト３の凹形スラック軌道部分は、ベルト３による異常に高い力を避け、かつキャリヤ４がくぼみ６内にとどまることを実現するように、想像上の空間軌道４０内に少なくとも部分的に留まるべきであることが特定される。図７に真っ直ぐな空間軌道４０から内向きの少量の曲げで示されるが、本発明の特徴を有するベルト３は凹形スラック軌道部分が空間の真っ直ぐな軌道４０と実質的に一致するように容易にデザインし得る。
【００４７】
上部分を厚くする上記原理は本発明によれば、例えば、図２に記載の単一パッケージ実施態様に有利に適用し得る。このようなデザインでは、本発明の特徴が経済的かつ技術的な機能デザインを得るという問題の解決策として利用できる。特になぜならば、その特徴はまた上部交差軌道ＣＴＬ中の横部材５が互いに、又はキャリヤ４から離れて落下することから防止され、即ち、ベルト３の保全性が維持されることに影響するからである。このような単一パッケージ実施態様の例が図６により示された構造中に用意される。図６の側面部分は、部材の半径方向に外向きに増大する厚さがわずかに前方に傾斜される上部分の前面２０により実現される横部材５の好ましい実施態様を示す。このような前面２０は揺動端部９及び下部分の傾斜面１９が設けられる部材の面に配置されることが好ましく、その結果、ベルトの長さ方向に面する横部材の唯一の面が傾斜され、一方、前面２０のような反対方向に面する更にベルトの長さ方向に面する面が平らであってもよい。
【００４８】
図８は臨界半径方向の距離又は高さの特徴を明らかにし、それによりベルト幾何学的特徴における識見が新規なデザインにおいて有利に同定され、適用され、それにより通常の数学的法則を利用する。図７中の提示とは異なり、図８中では上部交差軌道ＣＴＵがスラック軌道部分に相当し、この場合、最悪の場合を考慮するために、全端部遊びＥＰはスラック軌道部分の正確に半分に配置される二つの隣接横部材５の間に集中される。図７のように、トランスミッションは中間トランスミッション状態、即ち、速度トランスファの比及びトルクトランスファの比が１である状態のベルト３で示される。矢印Ａは、関係プーリ２に丁度入りつつあるベルト３の入口の位置における横部材５の揺動端部９の位置から始まる。つまりこれは、ベルトの回転中におけるフリーベルト軌道部分の組滑車間で、クランプされていることから丁度外れるあたりであり、図８に示されように、ベルトがそこから内方へ移動し始める点である。中間トランスミッション状態では、矢印Ａの長さは約（１／２）ＡＶである。なぜならば、この位置における部材は組滑車間にクランプされていないからである。一般に、上部分（これは比較的長い）はベルトがスラック軌道部分中のその中央に向かって曲がるそれ自体の傾向のもとに曲がり、即ち、崩壊するというリスクが強く軽減されるという利点を有する。図８に従って説明された特徴に関連して、実際に本発明によれば、除去されるべき端部遊びＥＰＣの量、又は補正、修正もしくは吸収のためのベルト３の固有の可能性が今使用される。この可能性が本発明により認識され、利用可能にされ、上記の増大された厚さの解決策とは別に、又はそれに加えて、以下の概念（これはそれ自体で適用し得る）に従い、少なくともそれに由来する手段により実施に向けられる。
【００４９】
このような別の解決策によれば、横部材５は上部分の一部である揺動端部９から始まって半径方向に測定して、比較的に長く延びている肢部１０及び１１を備えている。横部材５のこの特徴は図６に示されるような、上部分の上記の増大する厚さの特徴と組み合わせて適用されることが好ましいが、必ずしもそうではない。図６に記載の好ましい実施態様において、肢部１０及び１１は、本発明の一部と考えられる、臨界半径方向の距離、又は高さＨＳＥを越えるレベルまで揺動端部９の上に延びる。揺動端部９の上の臨界半径方向の高さＨＳＥは、除去されるべき端部遊びＥＰＣの前もって特定された所望の量に依存する。除去されるべき前記端部遊びＥＰＣは、また増大された厚さの解決策が適用される場合には、横部材５の間の全端部遊びＥＰの共有であることのみが必要とされる。記載されたように、このような全端部遊びＥＰは、ベルト３の製造を促進するために含まれてもよく、運転中のキャリヤ４の弾性伸び及び／又は横部材５の弾性圧縮のためであってもよく、又は運転中のベルト３の磨耗のためであってもよい。前記の臨界半径方向の高さＨＳＥを含む本発明はスラック軌道部分の凹形曲げで、肢部１０及び１１の半径方向の外部が想像上の空間の真っ直ぐな部分４０内に留まることを与え、その結果、曲げが避けられ、キャリヤ４が依然としてくぼみ６内に配置され、それによりベルト３の構造コヒーレンスを維持する。
「臨界半径方向の高さＨＳＥ」とは、キャリア及び横部材を全体として保つため、換言すれば横部材がキャリアから離脱しないために必要な立脚部の最小の高さを意味する。図６の場合、ロッキングエッジ１２と横部材の最上端（半径外方向最遠端）との間の半径方向の最小高さがＨＳＥである。
【００５０】
本発明によれば、スラック軌道部分中の端部遊びのこの修正又は除去がまた第一の解決策により実現され、この場合、部材上部が全体にテーパ付けされた形状を備えているが、それはそれ程延びるべきではない。これに関して、横部材５の有効な厚さは二つの相互に接触する横部材５の前面２０の間の最小の、ベルトの長さ方向の距離と定義し得る。上部分のテーパ付けされた形状のために、このような有効な厚さは横部材５が相互に平行に配向される場合（これはプーリ１，２の間のスラック軌道部分中で起こる）に大きく、またそれらが上部分のテーパに一致する角度で配向される場合（これはプッシュ軌道部分又はベルト３の自由な状態の円形中で起こる）に小さいことが明らかであり、但し、少なくともテーパが比較的小さく、例えば、本発明により特定されるように、０．０１〜０．２の上部分にわたる厚さの増大により形成されることを条件とする。最初の場合には、有効厚さが上部分の最大厚さに等しく、また後者の場合には、有効厚さが下部分の最大厚さに等しい。有効厚さのこのような差は、本発明によれば小さく、即ち、０．０１〜０．２０であるが、それはスラック軌道部分中に存在する隣接横部材５の全ての対について存在するであろう。この効果は、組み立て後、即ち、ベルト３が円形形状をとり得る時に存在して、運転中に消失するベルト３中の横部材５間のかなりの量の全遊びを生じる。これは前記の第一の解決策と同時に採用された場合に第二の解決策により除去すべき遊びの量を減少し、従って臨界距離ＨＳＥを減少する。
【００５１】
示された単一パッケージ実施態様の機能に必須であるが、本発明の解決策及び本発明の基礎となる識見は、図４及び５に示された所謂二重パッケージ実施態様に同様に有利に適用し得ることが注目される。この場合、くぼみ６の上部境界を形成するＴ字形上部分１４の定義は有利にはそれ程厳密ではなくなるかもしれない。なぜならば、運転中の半径方向のキャリヤ４及び横部材５の構造コヒーレンスを維持するという技術水準の横部材５中の前記の上部境界の機能が本発明のベルト３では最早必要とされないからである。これはＴ字形上部分１４の軸方向の寸法の減少を可能にし、この場合、Ｔ字形の横延長が、例えば、ベルト３の組み立てを促進することのみに利用し得る。
【００５２】
本発明の両方の解決策は同時に適用し得ることが更に注目され、その結果、これらの夫々の特徴、即ち、前記の増大された厚さ及び前記の臨界距離が夫々全端部遊びＥＰの共有である除去されるべき端部遊びＥＰＣの前もって特定された量について寸法を決められることのみを必要とする。これに関して、揺動端部９のサイズ及び形状、そして特に自由状態の形状、即ち、製造中のベルト３の円形形状と比較した時の二つの曲げられた軌道ＢＴ中の前記接触ラインとサドル表面８の間の半径方向の距離が全端部遊びＥＰの合計量に影響することが更に述べられる。それ故、上記曲げに妥当な全端部遊びＥＰの合計量は実際には本発明の前記特徴を有しない駆動ベルト３の運転中に生じ得る全端部遊びＥＰの最大量と解されるかもしれない。
【００５３】
上記識見に基いて、本発明は特に下記の式の規定に従ってデザインされたベルト３に関する。
【００５４】
【数１】
0004593041.tif 000002
式（１）の基準にマッチするベルトは、全端部遊びＥＰが部材の突起２１の形状、長さ方向の突起及び位置から独立に選ばれてもよいという追加された利点を有する。それ以外に、本発明の本特徴は部材の突起２１の成形及び位置決めにおけるデザイン自由度を改良する。特にそれは組重ねされたリング７の二重組を有する普通に知られているベルト型により教示され、また適用されるような円形突起２１の長さ方向（ベルトの長さ方向）の突出量よりも大きい必要はない。本発明の上記基準は特に横部材５に対するキャリヤ４の半径方向に外の移動、例えば、Ｔ字形上部分１４の横延長を制限するための装置を用いないでデザインされたベルト３を製造するのに有利に適用し得る。
【００５５】
本発明によれば、ベルト３の周囲長さＬが実際にプーリの一般に所望の最も近い相互配向の結果としての、トランスミッションのプーリ１及び２の軸、即ち、軸の中心間距離ＡＶを示す時として更に好ましいパラメータに有益かつ自動車用途に充分なインジケータであることが判明している。特に乗客車両移動適用のための、ベルトの目標の自動車用途において、プーリの周囲間の距離、即ち図７に両プーリ１，２を示す二つの円の間の遊びはベルトの実際の周囲に関して無視できると考えられ、即ち、一般に約１％より小さい。実際に、これはプーリ１及び２が通常可能な最小の半径方向の距離に相互に配置されることを意味する。式（１）記載の高さＨＳＥの端部遊び除去能はその後にベルト３に関するデザイン規則に変化し得る。
【００５６】
この識見によれば、ベルトの周囲長さＬはその中心間距離ＡＶの２倍と、プーリを含むアーク形の曲げられた軌道ＢＴ内の両方のベルト部分の周方向長さとの和として表され、後者の軌道部分は中間トランスミッション状態、即ち、トランスミッション比１におけるベルト３の半径ＲＭＥＤ、及び周辺の円の長さを計算するための定数により決定される。
【００５７】
【数２】
0004593041.tif 000003
ベルト３が中間ＲＭＥＤ中を走行する半径は、ベルト３の最小走行半径及び最大走行半径、夫々ＲＭＩＮ及びＲＭＡＸの間の半分の距離として計算される。
【００５８】
【数３】
0004593041.tif 000004
ベルト３の目的とされる用途に関するデザイン規則を考慮して、ベルト３の最小走行半径（これはプーリの軸の半径により決められる）はプーリ直径の約０．２倍であり、後者は中心間距離ＡＶにほぼ等しい。少なくとも、プーリ１及び２の周囲間の分離が無視し得る自動車用途では、ＲＭＥＤは以下のように書き直される。
【００５９】
【数４】
0004593041.tif 000005
目的の用途について、式（２）に適用される場合に次の式（５）をもたらす。
【００６０】
【数５】
0004593041.tif 000006
式（１）に適用されると、除去すべき端部遊びＥＰＣの所望の量に関する上部分の最小に必要とされる高さ、即ち、臨界の半径方向の高さＨＳＥはこうして本発明によれば下記の表現によりベルトの長さＬに関係しており、それによりその式の更に小さい項は無視される。
【００６１】
【数６】
0004593041.tif 000007
最大の保証及び安全性に関して、部材遊び値は本発明によれば弾性変形について１．５ｍｍ、そして磨耗作用について２ｍｍと夫々安全に定められ、一方、ベルト３の組み立てられた自由状態の部材遊び値は１．５ｍｍとされ、それの安全限界は現在の計算目的のために０．５ｍｍと定められる。こうして、運転中の全端部遊びＥＰの最大量は理論上５．５ｍｍの量になるであろう。その場合、全端部遊びＥＰは上部分の臨界高さＨＳＥのみにより説明され、特に増大された厚さの効果又は先に説明される揺動端部９とサドル表面８の間の距離の効果によるものではなく、式（６）は必要とされる高さＨＳＥがベルトの長さＬの平方根の０．８１倍の量になることを突きとめる。しかしながら実際には、全端部遊びＥＰのこのような最大量はめったに到達されず、大部分の時間で下部分遊び値はベルト３の組み立て時に生じることがあり、その間にベルト磨耗は過度ではない。なぜならば、ベルト３は２５０，０００キロメートル以上と定義される無限の寿命時間まで運転されることがほとんどないからである。更に、本発明の基礎となる識見によれば、最大張力はトランスミッション中で常に到達されず、一方また組み立て時に、即ち、遊びが二つの隣接横部材５の間で集中されるようなキャリヤ４の上に互いに対し積み重ねられた横部材５で測定された理論的な部材遊びは、全部材遊びが隣接する横部材５の幾つかの対の間に多少分布される場合に、運転中に生じる部材遊びよりも通常大きい。こうして実際には、極めて低い除去されるべき端部遊びの量ＥＰＣは、一般に理論的な最大に基づいて予想し得るものよりも十分であろう。しかしながら、全端部遊びＥＰはその円形の自由状態の形状のベルト３中の初期の部材遊びよりも大きくされることが好ましい。
【００６２】
本発明によれば、式（５）から上部分の臨界高さＨＳＥはベルト３の周囲長さＬの平方根の係数Ｃ倍により定められた条件を満足すべきであると結論され、この場合、Ｃは除去すべき端部遊びＥＰＣの量の平方根の０．３５倍以上の値である。
【００６３】
更に有益な試験では、現在の識見は本発明により与えられる効果を得るために、揺動端部９の上に延びる横部材５の臨界高さＨＳＥは、少なくとも９．５ｍｍとせいぜい２１ｍｍの間に定められるべきであるデザイン規則として発生される。又は更に正確には、その高さＨＳＥは３５０ｍｍで始まり、８５０ｍｍで終わる範囲の周囲長さＬを有するベルトについて１０ｍｍから１５ｍｍで終わる範囲に定められるべきである。
【００６４】
更に有益な試験では、除去すべき端部遊びＥＰＣの量はベルト３が円形形状、又は自由状態形状に配置される場合には横部材５の間のほぼ初期のベルトの長さ方向の遊びである。本発明によれば、この場合の係数Ｃに適した範囲は初期のベルトの長さ方向の遊びの平方根の０．３５×１．１倍で始まり、その値の０．３５×３倍で終わる。この範囲はそれが前記遊びに関する小さい効果、例えば、ベルト３中の振動を考慮する０．１の安全係数を含むことにより始まり、それがベルト内のかなりの弾性変形及び正常な運転条件下で予想される最もひどい磨耗を考慮する値で終わるように選ばれる。
【００６５】
更に有益な試験では、除去すべき端部遊びＥＰＣの前記量は、テーパ付き形状を有する上部分の特徴によって、スラック軌道部分中で除去される遊びの量により、並びに揺動端部９の形状及び位置が端部遊びについて有する影響により、ベルトがその円形の自由状態の形状から曲げられた軌道及び真っ直ぐな軌道のそのトランスミッション形態に変形される場合に除去される遊びの量により減少され、ベルト３が円形の形状、又は自由状態形状に配置される場合の横部材５の間のほぼ初期のベルトの長さ方向の遊びである。ロートランスミッション状態は、通常ベルト３が運転中に最も高度に負荷される状態に相当するので、本発明では初期の遊びから減じられる遊びの量がこのトランスミッション状態について決められることが好ましい。驚くことに、これは減じられる遊びの両方の量が実際に中間トランスミッション状態で最小であるという概念と対照的である。しかしながら、本発明によれば、運転中に部材遊びを増大するベルトの弾性変形は、ロー状態で明らかに最大であり、初期の遊びから減じられる遊びの両方の量に関するトランスミッション状態の影響を実質的に超える。
【００６６】
更に、横部材５が上部分中に少なくとも主として与えられるベルトの長さ方向に延びる突起２１を備えている場合、ベルト３が円形の形状、又は自由状態の形状で配置される時の横部材５の間の初期の長さ方法の遊びは、突起２１のベルトの長さ方向の突出量Ｎ１，Ｎ２の１倍〜２倍の範囲であることが好ましい。
【００６７】
組み立ての容易さのために、ベルト３が円形の形状、又は自由状態の形状で配置される時の横部材５の間の前記の初期のベルトの長さ方向の遊びは横部材５の最大厚さの少なくとも３／４である。
【００６８】
図７及び８に関して夫々記載された運転中のベルト３の保全性を維持するための両方の解決策は、横部材５及びキャリヤ４を一緒に保つための横部材５の一体部分として用意される既知のロック手段の使用を不要にする。このような既知のロック手段はそれらが運転中に負荷される時に崩壊することがあり、これらが通常製造し難く、しかもそれらが横部材５のデザインの自由度を制限するという欠点を有する。組み合わせると、本発明の解決策は上部分の厚さ増大の大きさ並びに肢部１０及び１１の高さの大きさが互いに対し交換され、こうしてデザインの自由度を生じ、ベルト３の機能性及び製造コストに著しく影響するという利点を有する。
【００６９】
図９は揺動端部９と横部材５の半径方向に外部の境界の間の距離、臨界高さＨＳＥについての特定された基準内の除去されるべき端部遊びＥＰＣの量の例示プロットにより式（１）により示された関係を図示する。その中の幾つかの関係は普通に適用されたプーリ直径、即ち、プーリの軸の中心間距離ＡＶに関し、特に自動車用途に適している。例えば、典型的なベルト３について、全端部遊びＥＰの１．２ｍｍの比較的大きい量は、肢部１０及び１１が揺動端部９の上に延びる１０ｍｍの臨界半径方向の高さＨＳＥにより、修正され、又は別途除去されてもよい。
【００７０】
図６及び図１０のベルト断面のその斜視図は本発明の幾つかの更なる独立の局面を示す本発明の実施態様を示す。
【００７１】
最初に、キャリヤ４の横移動のための軸方向の境界を形成するその肢部１０、１１を含む単一パッケージデザインは、一面へのキャリヤ４の横移動が横部材５により拘束されず、プーリ１，２により拘束される二重パッケージデザインとは異なることが注目される。この相違は二重パッケージデザインの横部材５がプーリ１又は２の滑車の間でそのキャリヤ４がプーリ１，２から少なくとも部分的に半径方向に外向きに配置され、その間フランク１５及び１６がプーリの各組滑車の間に依然として部分的に配置されるように配置されることを可能にする。従って、同じプーリデザインにより、所定の長さＬのベルト３で実現し得るトランスミッション比の範囲（トランスミッション比はプーリ１及び２中の曲げられた軌道部分ＢＴの走行半径の商である）が二重パッケージデザインによるよりも単一パッケージベルトデザインで大きくてもよい。これは高度に望ましいと考えられる。なぜならば、同じ組み立て空間中で、トランスミッションの機能性が改良されるからである。キャリヤ４がプーリ１，２の半径方向に外側部に配置される状態で、またフランク１５及び１６がプーリ１，２の半径方向に外側部に部分的に配置され、それによりそこでの圧力を増大するが、これが本発明に従って可能にされ得るという識見が単一パッケージベルト３のこの特徴の基礎になっている。なぜならば、それはプーリ１，２の各組滑車の間の横部材５の数、そしてこうしてまた力を吸収するのに利用できる全表面積がいずれにしても比較的大きい場合の最大走行半径を有する曲げられた軌道部分ＢＴでのみ生じるからである。
【００７２】
本発明の横部材５は比較的薄く、即ち、１．５ｍｍ〜３．０ｍｍであり、揺動端部９とベルト３の半径方向に見られる横部材の内端部２４の間に延びる傾斜面１９を含む下部分を有することが示される。側面図に見られる下部分の厚さは、アークのように曲げられた軌道ＢＴをプーリ１及び２中に通す時にベルト３が曲げられるように、その内端部２４に向かって減少する。リング７の半径方向に組重ねられた組内の運転張力のために、キャリヤ４、及び曲げられた軌道ＢＴを通る少なくともその部分は示され、横部材５のサドル表面８と接触して押しやられると考えられる。内端部２４は下部分の最小の半径方向の高さがベルト３の軸方向に見て横部材５の中央付近に得られるように凹形に湾曲される。傾斜面１９は内端部２４に向かって連続し、それとつながってもよいが、横部材５の有利な軽量実施態様では、傾斜面１９がベルト３の長さ方向にステップ２２中のくぼみ部分２３に隣接する。図６中、ステップ２２の深さがその詳細を明らかに示すために誇張された。実際には、ステップ２２は揺動端部９の直ぐ上の横部材５の部分厚さの１／１２〜３／１２の範囲の深さ寸法を有する。ここに示されない横部材の好ましい実施態様において、ステップ２２は揺動端部９と実質的に隣接し、その場合、傾斜面１９が不在である。この様式では、特にくぼみ部分２３が揺動端部９を成形する工程に先行する製造工程又は方法で実現される場合、横部材５が更に正確に製造し得る。なぜならば、切断端部の減少された表面積のために、少ない努力が横部材５をプレート又はストリップから打ち抜きするのに必要とされるからである。ステップ２２を設けることについての機能上の理由は、フランク１５及び１６がプーリ１、２との最適の接触のためにかなりの高さ、即ち、ベルト３の半径方向の長さであることを可能にするとともに、横部材５の低重量の要件を依然として満たすためである。適切な接触を保証するために、ステップ２２の深さは揺動端部９の直ぐ上の横部材５の厚さを越えるべきではない。サドル８に最も近い位置の内端部２４は、ステップ２２に結合し、又は少なくともそれに近く終端し、おそらくそれと交差しさえもするようにデザインされる。内端部２４は図６に示される単一点でステップ２２に交差することが好ましい。内端部２４は、それが例えば０．３ｍｍの小半径の丸みをつけることによりフランク１５及び１６と実質的につながるように始まり、半径方向に最も内側の横部材部分の直ぐ近くで夫々終わる凹形湾曲として成形し得る。このような凹形湾曲はそれと交差するステップ２２により中断されることが可能とされ得るが、半径方向の湾曲の深さは揺動端部９の直ぐ上のベルト３の軸方向に横部材５の幅の１／６まで少なくとも延びることが好ましい。凹形湾曲はアーク形であり、又は場合によっては幾つかの隣接アークを含むことが好ましく、このような一つ以上のアークは前記下部分の幅の０．５〜１の範囲の曲率半径を有する。この様式では、接触面１５及び１６の下部に作用する力が横部材５に有利に伝達される。
【００７３】
本発明の実施態様において、横部材５は前面２０から長さ方向に突き出ている少なくとも一つの突起２１を更に備えている。突起２１は前面２０の半径方向に外半分に設けられる。前面２０の反対の長さ方向の横部材５のさらに長さ方向に面する面で、このような突起２１は穴２７、即ち、突起２１にほぼ一致して成形されるくぼみ部分と一緒になる。示された実施態様において、突起２１は肢部１０及び１１の夫々に設けられ、多少矩形に成形されて主として軸方向に配向された方向に延びる。半径方向の突起２１の最大寸法は揺動端部９の直ぐ上の横部材５の厚さに実質的に一致することが好ましい。好ましい実施態様において、肢部１０及び１１の軸方向に面する側面は主としてフランク１５及び１６に実質的に平行に延び、それによりベルト３の運転安定性及びその組み立ての両方を促進する。突起２１（また長さ方向の突起２１と称される）は本デザインにおいて横部材５がスラック軌道部分にある時又はベルト３がクランプ力の不在下でどういうわけか引っ張られていない時に、横部材５がキャリヤ４から分離することを防止するためのバックアップ安全として利用できる。しかしながら、基本的なクランプ力は通常プーリ１又は２の少なくとも一つの移動可能な滑車に作用するばねにより与えられる。この理由のために、本ベルトデザインの組み立て後の初期における横部材遊びは突起２１の部分の長さ方向（ベルトの長さ方向）の突出長さの２倍に定められることが好ましい。
【００７４】
本発明の好ましい実施態様において、突起２１は図１１及び１２の一つに従って成形される。図１１及び１２は夫々図６の側面図の上部断面を示す。ブランキングにより成形されるのではなく、突起２１は肢部１０及び１１の曲げにより有利に製造し得る。これは肢部１０，１１の長さ方向の厚さそしてそれとともに強度がその半径方向の高さにわたって維持し得るという利点を有する。図１１に記載の実施態様において、突起２１は等しくないとしても合致する厚さの三つの肢部における部分２９，３０及び３１により具体化される。ベルトの長さ方向の突出量Ｎ１は、このデザインにより穴２７と相互作用することが意図されている突起２１に関してかなり増大されてもよい。図１１の実施態様において、肢部における部分２９，３０及び３１の半径方向の寸法は、肢部１０，１１の長さにより制限されるが、その一方で肢部１０，１１と同じ厚さであってもよく、これは図６の側面図の穴２７と相互作用することが意図されている突起２１よりもかなり厚い。図１２の実施態様において、肢部の部分２９及び３４のベルトの長さ方向の突出量は横部材５の局所厚さにマッチする。しかしながら、本発明によれば、長さ方向の突出量は原則として肢部の部分２９の位置で横部材５の厚さの２倍の大きさにされていてもよい。図１２に記載のデザインでは、突出量Ｎ２は有利にはＮ１よりも大きくされてもよい。なぜならば、肢部１０，１１の利用できる半径方向の長さの一部を使用する後に曲げ返された部分３１が省かれるからである。両方のデザインにおいて、肢部の部分２９は横部材５の前面又は裏面に面する軸方向かつ長さ方向に上向きに延びる表面を含む。横部材５の前面は揺動端部９が配置される横部材５の面を意味する。図１２の実施態様の別の利点は半径方向に外側部の部分３４が比較的長く更に容易に製造し得ることである。
【００７５】
肢部における部分２９，３０，３１及び２９，３４の長さ方向の比較的大きい突出量Ｎ１及びＮ２は、運転中のベルト３の保全性、又はコヒーレンスの維持並びにプーリ１，２を出るベルトの能力及び容易さの両方に著しく影響する。肢部における部分２９及び３１は、ベルト３の長さ方向に対し好ましくは４５度以上、更に好ましくは５０〜６０度の範囲内の角度で延びる。
【００７６】
本発明の実施態様において、フランク１５及び１６は、横部材５の半径方向に最も内側の部分付近からサドル表面８の充分に上に、好ましくは少なくともサドル表面８と接触する場合にはキャリヤ４まで、又は更にはキャリヤ４を越えて延びる。フランク１５及び１６は揺動端部９の上方（外方）にそれらの半径方向の長さの少なくとも１／３、更に好ましくは少なくとも半分にわたって延びることが好ましい。本発明の特別な実施態様において、フランク１５及び１６はキャリヤ４の上方（外方）にそれらの半径方向の全長の１／５にわたって延びる。フランク１５及び１６の半径方向の全長は横部材５の半径方向の高さの少なくともほぼ半分に一致する。この方法では、例えば、ＪＰ２０００／２１３６０９に記載されたような曲げられた軌道ＢＴ中の横部材５に作用する力により実現されたモーメントがベルト３の軸のまわりの横部材５の傾斜に影響するのにはあまりにも小さいレベルに低下されることが得られるかもしれない。特に、プーリ１、２と横部材５の間の摩擦により生じる有効な力、サドル表面８とキャリヤ４の間の比較的小さい強さの摩擦力及び隣接する横部材５の間に揺動端部９により加えられたプッシュ力が前記モーメントに影響する。このような傾斜は横部材５とプーリ１，２の間のスリップにより伴われ、それによりトランスミッションの効率に悪影響する。横部材５がベルト３の軸のまわりに傾斜し、その結果、それがプーリ１，２中でクランプされる間に最早実質的に半径方向に配向されないという傾向は、本発明の本手段により有意に軽減される。それとともに、トルクがベルト３により伝達される効率は、サドル表面からかなりの半径方向の距離に配置される揺動端部９（これは図２〜５の既知の部材デザインに必要とされ、例えば、ＪＰ０１／０９８７３３に記載されたようにキャリヤ４と横部材５の間の相対速度を増大することにより、ベルト３の機能に悪影響するであろう）を必要としないで有利に増大される。
【００７７】
本発明のフランク１５、１６のデザインは、その半径方向の長さが有利に増大されることに更に影響し、これは通常ベルト３が所謂ロートランスミッション状態に一致する状態である時に、最小の走行半径（ＲＭＩＮに相当する）を有するアークのような曲げられた軌道である、運転中に最もきつく曲げられるベルト部分に特に有利である。この状態及び位置では、通常前記摩擦力及びクランプ力が運転中に最大であり、一方、このような力を吸収するのに利用できるプーリ１，２中の横部材５の数が最小である。更に、アークのように成形された内端部２４はフランク１５及び１６がかなりの半径方向の長さであり、揺動端部９のレベルのかなり下に延伸することを可能にし、その間に前記力が横部材５により有利に吸収され、その本体にわたって分布される。フランク１５，１６の全長はサドル表面８と内端部２４の間の横部材５の最小の半径方向の寸法の高さの少なくとも２倍、好ましくは最大で５倍である。このような範囲は挟む力の最適の受け取りを与えるとともに、充分な強度を横部材５に依然として与える。
【００７８】
フランク１５及び１６の比較的大きい半径方向の長さはそれ以外は一定のクランプ力で横部材５とプーリ１，２の接触の低減された接触圧力に更に影響する。通常ヘルチアン接触圧力と称される、このような接触圧力と関連するストレスは、所定の材料特性及び理論分析から解されるように、一般に横部材５又はプーリ１，２の機械強度に重要と考えられないが、実際には前記接触に行き渡っている圧力が多くの型の圧油の性能に影響する。特に、冷媒及び／又はグリース媒体の局所崩壊は、局所消失される熱の量が低く保たれる場合、又は接触圧力が低く保たれ、即ち、従来技術により知られているものと比較して低下される場合に防止し得る。プーリ１，２と横部材５の間の接触における低いヘルチアン接触ストレスの維持は本発明によれば高度に実用的に重要である。なぜならば、冷媒の崩壊に続いてトランスミッションの機能の損失が迅速に生じ得るからである。
【００７９】
図６は端部の軸方向の幅が半径方向に外向き方向にわずかに増大する端部を有する肢部１０及び１１を更に示す。この横部材における肢部の端部は、一つの軸方向の肢部側から反対の軸方向の肢部側に延び、例えば肢部１０で言えばその最も幅広い断面２６で開始する少なくとも部分的に湾曲された面２８により形成される半径方向の上面を備えている。湾曲面２８は、揺動端部９の位置で横部材５の長さ方向の厚さの半分のオーダーの曲率半径で少なくとも部分的に湾曲されることが好ましい。その好ましい実施態様は、軸方向及び長さ方向に延びる中央の平らな面部分を更に示す。端部の位置で肢部１０及び１１の増大する軸方向の幅は、ベルト３が内向きに湾曲されたスラック軌道部分を通過する間に、横部材５の安定な相互支持を可能にする。このような幅広化は、半径方向に、即ち、ベルト３の軸方向及び長さ方向に少なくとも実質的に垂直に延びる肢部１０，１１の軸方向の内面、即ち、くぼみ６に面する面で得られることが好ましい。また、例えば、プーリ１，２に面する肢部１０，１１の端部の軸方向の外面が図１３に示されるように主として半径方向に延びる場合、前記幅広化は、軸方向の外面から離れて配向される軸方向の内面の一部で得られてもよい。
【００８０】
図１３は特許請求の範囲及び本発明の上記の記載の範囲内に入る横部材５の実施態様を図示する。四角形５０はキャリヤ４がベルト３の組み立て時に横部材５のくぼみ６により受け入れられる方法を示す。図２に示された技術水準の部材デザインとは対照的に、肢部１０及び１１のフック形端部１２及び１３は、運転中にキャリヤ４及び横部材５を一緒にロック(lock)するが、隣接する横部材５の間の接触に利用できる表面積を増大し、それが運転ではない時にベルト３のコヒーレンスを維持することを助けるのに利用できず、又は実際にそれらの制限されたサイズのために利用できない。これにより、フック部分１２及び１３は、技術水準の横部材５の場合のように、キャリヤ４をくぼみ６中に有効にロックするのに充分に大きくないが、それらは軸方向に実質的に平行に配向された時にキャリヤ４がくぼみ６を出ることから抑制することを意味した。
【００８１】
先に記載された本発明の夫々のデザイン特徴はそれ自体で、又は組み合わされると、横部材重量の減少が実現され、かつ／又は支持され、その減少はトランスミッション中での運転中のベルト３のトルク伝達能に有利であり、そのコスト価格及び／又は技術性能に著しく影響する。本発明は特許請求の範囲に記載のものに限定されないが、図面及びそれらに関する記載により開示された全ての特徴を含む。本発明の先に提案された実施態様及び局面はそれ自体で、又は組み合わせて比較的薄い半径方向に組重ねされたエンドレスの平らな金属バンドの組を含むキャリヤと組み合わせて最も有利に作用する。
【００８２】
【発明の効果】
本発明によれば、コスト上昇がなく、伝達可能なトルクの量を最大にし、比較的単純な形状で、軽量のベルトを提供することができる。
【図面の簡単な説明】
【図１】それ自体知られているベルト型トランスミッション装置の輪郭を示す立面図である。
【図２】図１のトランスミッション装置用のベルトの所謂単一パッケージ実施態様の従来技術の横部材を示す拡大正面図である。
【図３】図２の断面Ａ−Ａを示す図である。
【図４】本発明の所謂二重パッケージ部材実施態様の正面図である。
【図５】図４の断面Ｂ−Ｂを示す図である。
【図６】本発明の単一パッケージ部材実施態様の正面図であり、破線により正面図に関連付けした側面図を含む。
【図７】図１の立面図において、本発明の部材デザインの効果を示す概要図である。
【図８】図１の立面図において、それ自体適用された場合の本発明の別の局面の部材デザインの効果を示す立面図である。
【図９】本発明に係る横部材の臨界高さ（ＨＳＥ）に対する端部遊び修正（ＥＰＣ）効果のプーリの軸の中心間の幾つかの距離（ＡＶ）に関するプロット図である。
【図１０】図６の横部材を含むベルト部分の斜視図である。
【図１１】図６の側面図に示された、別の横部材の実施態様に係る上部の部分図である。
【図１２】図６の側面図に示された、第二の別の横部材の実施態様に係る上部の部分図である。
【図１３】本発明の範囲内に入る横部材の実施態様に係る概略説明用図である。
【符号の説明】
１，２：プーリ、３：ベルト、４：キャリヤ、５：横部材、６：くぼみ、７：金属バンド、８：サドル表面、９：揺動端部、１０，１１：肢部（上部分つまり環状ベルトの外側部分）、１２，１３：フック部分、１４：上部分（環状ベルトの内側部分）、１５，１６：フランク、１９：傾斜面、２０：前面、２１：突起、２２：ステップ、２４：内端部、２７：穴、２８：湾曲面、２９，３０，３１，３４：肢部の部分、ＥＰ：全端部遊び、ＥＰＣ：除去すべき端部遊び、ＨＳＥ：高さ。
【図１】
0004593041.tif 000008
【図２】
0004593041.tif 000009
【図３】
0004593041.tif 000010
【図４】
0004593041.tif 000011
【図５】
0004593041.tif 000012
【図６】
0004593041.tif 000013
【図７】
0004593041.tif 000014
【図８】
0004593041.tif 000015
【図９】
0004593041.tif 000016
【図１０】
0004593041.tif 000017
【図１１】
0004593041.tif 000018
【図１２】
0004593041.tif 000019
【図１３】
0004593041.tif 000020